(57)【要約】【課題】ＨＳＤＰＡ(高速データパケット接続)対応で動作し、かつ、コンプレストモードで動作する際の移動無線端末におけるバッテリ資源の無駄をなくすと共に、基地局側のＨＳＤＰＡ無線通信資源の有効利用を図る。【解決手段】提供される発明は、ＨＳＤＰＡ(高速データパケット接続)通信中で、かつ、コンプレストモード時の移動無線端末を操作する方法であって、基地局からの下り方向の送信の中に存在する送信ギャップ２０２を識別し、前記送信ギャップ２０２と重なり合う単数又は複数のデータサブフレーム２０８，２１０を検出し、検出された前記サブフレーム２０８，２１０と前記送信ギャップ２０２とを包含する受信中断期間２２２を決定し、前記受信中断期間２２２中は、前記移動無線端末によるＨＳＤＰＡパケットの受信を中断する構成となっている。【選択図】図５
2006060809.tif 000002
【特許請求の範囲】
【請求項１】
ＨＳＤＰＡ(高速データパケット接続)通信中で、かつ、コンプレストモード時の移動無線端末を操作する方法であって、
基地局装置からの下り方向の送信の中に存在する送信ギャップを識別し、
前記送信ギャップと重なり合う単数又は複数のデータサブフレームを検出し、
検出された前記サブフレームと前記送信ギャップとを包含する受信中断期間を決定し、
前記受信中断期間中は、前記移動無線端末によるＨＳＤＰＡパケットの受信を中断することを特徴とする移動無線端末の操作方法。
【請求項２】
前記受信中断期間中は、前記ＨＳＤＰＡパケットの処理も中断することを特徴とする請求項１記載の移動無線端末の操作方法。
【請求項３】
前記受信中断期間は、前記検出されたデータサブフレームに付随する付随データサブフレームをも包含することを特徴とする請求項１記載の移動無線端末の操作方法。
【請求項４】
前記受信中断期間は、前記送信ギャップと重なる単数又は複数の付随データサブフレームを包含することを特徴とする請求項１記載の移動無線端末の操作方法。
【請求項５】
前記受信中断期間は、上位ネットワークレイヤパラメータに基づいて、拡張された送信ギャップに属するものとして特定されたデータサブフレームを包含することを特徴とする請求項１記載の移動無線端末の操作方法。
【請求項６】
ＨＳＤＰＡ(高速データパケット接続)通信中で、かつ、コンプレストモードで動作する移動無線端末のために受信中断期間を決定する方法であって、
基地局装置からの下り方向の送信の中に存在する送信ギャップを識別し、
識別された前記送信ギャップを所定のチャネルにマッピングして、前記送信ギャップと重なり合う前記所定のチャネルのサブフレームを包含する第１の中断期間を画定し、
前記第１の中断期間を拡張する第２の中断期間であって、前記第１の中断期間と重なり合う少なくとも一つの別種のチャネルのサブフレームを包含する前記第２の中断期間を画定し、
前記第２の中断期間を拡張する前記受信中断期間であって、前記第２の中断期間、及び、前記第２の中断期間の範囲に収まるサブフレームに付随する付随サブフレームを包含する前記受信中断期間を画定することを特徴とする受信中断期間を決定する方法。
【請求項７】
前記所定のチャネルが、共通パイロットチャネルからなることを特徴とする請求項６記載の受信中断期間を決定する方法。
【請求項８】
前記別種のチャネルは、ＨＳ−ＤＳＣＨ(高速下り回線共有チャネル)、又は／及びＨＳ−ＳＣＣＨ(高速共有制御チャネル)からなることを特徴とする請求項６記載の受信中断期間を決定する方法。
【請求項９】
前記受信中断期間は、上位ネットワークレイヤパラメータに基づいて、拡張された送信ギャップに属するものとして特定されたデータサブフレームを包含することを特徴とする請求項６記載の受信中断期間を決定する方法。
【請求項１０】
コンプレストモード時の移動無線端末とＨＳＤＰＡ(高速データパケット接続)通信を行う移動無線通信ネットワークの基地局装置を制御する方法であって、
基地局装置からの下り方向の送信の中に存在する送信ギャップを識別し、
識別された前記送信ギャップを所定のチャネルにマッピングして、前記送信ギャップと重なり合う前記所定のチャネルのサブフレームを包含する第１の中断期間を画定し、
前記第１の中断期間を拡張する第２の中断期間であって、前記第１の中断期間と重なり合う少なくとも一つの別種のチャネルのサブフレームを包含する前記第２の中断期間を画定し、
前記第２の中断期間を拡張する前記受信中断期間であって、前記第２の中断期間、及び、前記第２の中断期間の範囲に収まるサブフレームに付随する付随サブフレームを包含する受信中断期間を決定し、
決定された前記受信中断期間中、前記移動無線端末に対して、ＨＳＤＰＡパケットの送信を中断することを特徴とする移動無線通信ネットワークの基地局装置を制御する方法。
【請求項１１】
ＨＳＤＰＡ(高速データパケット接続)に対応し、かつ、コンプレストモードにも対応する移動無線端末ための電力消費を管理する方法であって、
基地局装置からの下り方向の送信の中に存在する送信ギャップを識別し、
識別された前記送信ギャップを所定のチャネルにマッピングして、前記送信ギャップと重なり合う前記所定のチャネルのサブフレームを包含する第１の中断期間を画定し、
前記第１の中断期間を拡張する第２の中断期間であって、前記第１の中断期間と重なり合う少なくとも一つの別種のチャネルのサブフレームを包含する前記第２の中断期間を画定し、
前記第２の中断期間を拡張する前記受信中断期間であって、前記第２の中断期間、及び、前記第２の中断期間の範囲に収まるサブフレームに付随する付随サブフレームを包含する前記受信中断期間を画定し、
画定された前記中断期間の間、ＨＳＤＰＡパケットの受信又は／及び処理を中断することを特徴とする移動無線端末ための電力消費を管理する方法。
【請求項１２】
ＨＳＤＰＡ(高速データパケット接続)に対応し、かつ、コンプレストモードにも対応する移動無線端末であって、
基地局装置からの下り方向の送信の中に存在する送信ギャップを識別する識別手段と、
前記送信ギャップと重なる単数又は複数のデータサブフレームを検出する検出手段と、
検出された前記サブフレームと前記送信ギャップとを包含する受信中断期間を決定する決定手段とを備えてなると共に、
前記受信中断期間中は、ＨＳＤＰＡパケットの受信を中断する構成になされていることを特徴とする移動無線端末。
【請求項１３】
ＨＳＤＰＡ(高速データパケット接続)に対応し、かつ、コンプレストモードにも対応する移動無線端末であって、
基地局装置からの下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する受信中断期間を決定する決定手段と、
前記受信中断期間中は、ＨＳＤＰＡパケットの受信を中断する構成になされていることを特徴とする移動無線端末。
【請求項１４】
前記受信中断期間中は、ＨＳＤＰＡパケットの処理も中断する構成になされていることを請求項１２又は１３記載の特徴とする移動無線端末。
【請求項１５】
コンプレストモード時の移動無線端末とＨＳＤＰＡ(高速データパケット接続)通信を行う移動無線通信ネットワークの基地局装置であって、
前記移動無線端末への下り方向の送信の中に存在する送信ギャップを識別する識別手段と、
前記送信ギャップと重なる単数又は複数のデータサブフレームを検出する検出手段と、
検出された前記サブフレームと前記送信ギャップとを包含する受信中断期間を前記移動無線端末のために決定する決定手段とを備えてなると共に、
前記受信中断期間中は、ＨＳＤＰＡパケットの受信を中断する構成になされていることを特徴とする移動無線端末。
【請求項１６】
コンプレストモード時の移動無線端末とＨＳＤＰＡ(高速データパケット接続)通信を行う移動無線通信ネットワークの基地局装置であって、
前記移動無線端末への下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する受信中断期間を前記移動無線端末のために決定する決定手段と、
前記移動無線端末に対して、ＨＳＤＰＡパケットの送信をスケジューリング設定する一方、決定された前記受信中断期間中は、前記移動無線端末への送信用のＨＳＤＰＡパケットをスケジューリングしないことを特徴とする移動無線通信ネットワークの基地局装置。
【発明の詳細な説明】
【技術分野】
【０００１】
この発明は、ＨＳＤＰＡ移動通信ネットワーク対応の移動無線端末及び基地局に係り、詳しくは、ＵＭＴＳ(Universal Mobile Telecommunication System; 第３世代移動体通信システムの欧州標準)に準拠する移動通信ネットワークで使用できる移動無線端末以下、移動局ともいう、3GPPでは、UE; User Equipment)及び基地局装置(以下、基地局ともいう、3GPPでは、Node B)に関する。
【背景技術】
【０００２】
ＵＭＴＳネットワーク等の第３世代無線通信システムでは、高速な下り回線を実現するパケット伝送方式として、下りのピーク伝送速度の高速化、伝送遅延の軽減化、高スループット化等を目的としたＨＳＤＰＡ(High Speed Downlink Packet Access)の採用が有力視されている。
例えば、３ＧＰＰ準拠のWCDMA(広帯域符号分割多元接続; Wideband Code Division Multiple Access)通信システムでは、高速なパケット伝送方式としてのＨＳＤＰＡの採用によって、１０Mbps程度のデータ伝送速度を実現できることが見込まれている。
【０００３】
ここで、ＨＳＤＰＡの概要について説明する。ＨＳＤＰＡでは、基地局から移動無線端末への下り方向の物理チャネルとして、ＨＳ−ＳＣＣＨ(高速共有制御チャネル; High Speed Shared Control Channel)と、ＨＳ−ＰＤＳＣＨ(高速物理下り共有チャネル; High Speed Physical Downlink Shared Channel)とが追加されている。ＨＳ−ＳＣＣＨは、対となるＨＳ-ＰＤＳＣＨの制御情報を送信するために使用され、ＨＳ−ＰＤＳＣＨは、ＨＳＤＰＡのパケットデータを送信するために使用される。また、ＨＳ−ＰＤＳＣＨは、サブフレーム単位で、最大１５個のチャネライゼーション符号を用いることが可能であり、これをマルチコードと呼び、用いたチャネライゼーション符号の数をマルチコード数と呼ぶ。ここで、サブフレームとは、３スロットという時間単位で表されたＨＳＤＰＡの物理チャネルのフレーム長のことで、スロットとは、３ＧＰＰで規定された時間単位を意味している。
【０００４】
３ＧＰＰ(3rd Generation Partnership Project)の提言によれば、ＨＳＤＰＡの実施には、データ伝送形態が、ＵＭＴＳ準拠の移動無線端末(ＵＥ)で用いられるコンプレストモード(compressed mode)に適合していることが要件とされている。ここで、コンプレストモードとは、異周波ハンドオーバを行うために、異周波数又は異種システムのセルの測定を可能とするための機能である。ハンドオーバとは、移動無線端末(ＵＥ)が通信中に一つのセルから別のセルへ移動しても、基地局を自動的に切替えることで通信を継続できるようにする機能である。
【０００５】
ＵＭＴＳネットワーク等の第３世代無線通信システムでは、通信中の移動無線端末(ＵＥ)に対して、異周波ハンドオーバ又は異種システムハンドオーバを実施する際には、基地局(Node B)は、移動無線端末(ＵＥ)に、コンプレストモードで操作するように指示する。コンプレストモード時では、基地局−移動無線端末間を伝送する無線フレームの中に送信ギャップが、予め定義されたパターンに従って生成されるので、基地局(Node B)と移動無線端末(ＵＥ)とは、ハンドオーバの実行ために必要な各種ネットワークパラメータ(送信ギャップのスロット数、送信ギャップ間の間隔、送信ギャップの繰り返し数等)を測定できる。例えば、移動無線端末(ＵＥ)が現在通信中の基地局から次に通信を行おうとするハンドオーバ先の基地局を決める際には、移動無線端末の現在セルを取り巻く複数の隣接セルの各基地局が、移動無線端末の信号強度を測定することにより、ハンドオーバ先の基地局を決定するようにしても良い。ここで、下り方向の送信ギャップは、移動無線端末に対して個別に割り当てられるＤＰＣＨ(専用物理チャネル; Dedicated Physical Channel)を用いて伝送される特定のデータフレームの中に挿入されている。
【発明の開示】
【発明が解決しようとする課題】
【０００６】
しかしながら、ＨＳＤＰＡの採用により、移動無線端末(ＵＥ)のデータの受信レートが高速になると、移動無線端末では、大量のデジタル信号処理が必要となるため、バッテリ寿命が短くなるという不都合がある。
【０００７】
この発明は、上述の事情に鑑みてなされたもので、ＨＳＤＰＡ(高速データパケット接続)対応で動作し、かつ、コンプレストモードで動作する際の移動無線端末におけるバッテリ資源の無駄をなくすと共に、基地局側のＨＳＤＰＡ無線通信資源の有効利用を図ることができるＨＳＤＰＡ移動通信ネットワーク対応の移動無線端末及び基地局装置を提供することを目的としている。
【課題を解決するための手段】
【０００８】
上記課題を解決するために、請求項１記載の発明は、ＨＳＤＰＡ(高速データパケット接続)通信中で、かつ、コンプレストモード時の移動無線端末を操作する方法に係り、基地局装置からの下り方向の送信の中に存在する送信ギャップを識別し、前記送信ギャップと重なり合う単数又は複数のデータサブフレームを検出し、検出された前記サブフレームと前記送信ギャップとを包含する受信中断期間を決定し、前記受信中断期間中は、前記移動無線端末によるＨＳＤＰＡパケットの受信を中断することを特徴としている。
【０００９】
また、請求項２記載の発明は、請求項１記載の移動無線端末の操作方法に係り、前記受信中断期間中は、前記ＨＳＤＰＡパケットの処理も中断することを特徴としている。
【００１０】
また、請求項３記載の発明は、請求項１記載の移動無線端末の操作方法に係り、前記受信中断期間は、前記検出されたデータサブフレームに付随する付随データサブフレームをも包含することを特徴としている。
【００１１】
また、請求項４記載の発明は、請求項１記載の移動無線端末の操作方法に係り、前記受信中断期間は、前記送信ギャップと重なる単数又は複数の付随データサブフレームを包含することを特徴としている。
【００１２】
請求項５記載の発明は、請求項１記載の移動無線端末の操作方法に係り、前記受信中断期間は、上位ネットワークレイヤパラメータに基づいて、拡張された送信ギャップに属するものとして特定されたデータサブフレームを包含することを特徴としている。
【００１３】
請求項６記載の発明は、ＨＳＤＰＡ(高速データパケット接続)通信中で、かつ、コンプレストモードで動作する移動無線端末のために受信中断期間を決定する方法に係り、基地局装置からの下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する前記受信中断期間を画定することを特徴としている。
【００１４】
請求項７記載の発明は、請求項６記載の受信中断期間を決定する方法に係り、前記所定のチャネルが、共通パイロットチャネルからなることを特徴としている。
【００１５】
請求項８記載の発明は、請求項６記載の受信中断期間を決定する方法に係り、前記別種のチャネルは、ＨＳ−ＤＳＣＨ(高速下り回線共有チャネル)、又は／及びＨＳ−ＳＣＣＨ(高速共有制御チャネル)からなることを特徴としている。
【００１６】
請求項９記載の発明は、請求項６記載の受信中断期間を決定する方法に係り、前記受信中断期間は、上位ネットワークレイヤパラメータに基づいて、拡張された送信ギャップに属するものとして特定されたデータサブフレームを包含することを特徴としている。
【００１７】
請求項１０記載の発明は、コンプレストモード時の移動無線端末とＨＳＤＰＡ(高速データパケット接続)通信を行う移動無線通信ネットワークの基地局装置を制御する方法に係り、基地局装置からの下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する受信中断期間を決定し、決定された前記受信中断期間中、前記移動無線端末に対して、ＨＳＤＰＡパケットの送信を中断することを特徴としている。
【００１８】
請求項１１記載の発明は、ＨＳＤＰＡ(高速データパケット接続)に対応し、かつ、コンプレストモードにも対応する移動無線端末ための電力消費を管理する方法に係り、基地局装置からの下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する前記受信中断期間を画定し、画定された前記中断期間の間、ＨＳＤＰＡパケットの受信又は／及び処理を中断することを特徴としている。
【００１９】
また、請求項１２記載の発明は、ＨＳＤＰＡ(高速データパケット接続)に対応し、かつ、コンプレストモードにも対応する移動無線端末に係り、基地局装置からの下り方向の送信の中に存在する送信ギャップを識別する識別手段と、前記送信ギャップと重なる単数又は複数のデータサブフレームを検出する検出手段と、検出された前記サブフレームと前記送信ギャップとを包含する受信中断期間を決定する決定手段とを備えてなると共に、前記受信中断期間中は、ＨＳＤＰＡパケットの受信を中断する構成になされていることを特徴としている。
【００２０】
また、請求項１３記載の発明は、ＨＳＤＰＡ(高速データパケット接続)に対応し、かつ、コンプレストモードにも対応する移動無線端末に係り、基地局装置からの下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する受信中断期間を決定する決定手段と、前記受信中断期間中は、ＨＳＤＰＡパケットの受信を中断する構成になされていることを特徴としている。
【００２１】
また、請求項１４記載の発明は、請求項１２又は１３記載の特徴とする移動無線端末に係り、前記受信中断期間中は、ＨＳＤＰＡパケットの処理も中断する構成になされていることを特徴としている。
【００２２】
また、請求項１５記載の発明は、コンプレストモード時の移動無線端末とＨＳＤＰＡ(高速データパケット接続)通信を行う移動無線通信ネットワークの基地局装置に係り、前記移動無線端末への下り方向の送信の中に存在する送信ギャップを識別する識別手段と、前記送信ギャップと重なる単数又は複数のデータサブフレームを検出する検出手段と、検出された前記サブフレームと前記送信ギャップとを包含する受信中断期間を前記移動無線端末のために決定する決定手段とを備えてなると共に、前記受信中断期間中は、ＨＳＤＰＡパケットの受信を中断する構成になされていることを特徴としている。
【００２３】
また、請求項１６記載の発明は、コンプレストモード時の移動無線端末とＨＳＤＰＡ(高速データパケット接続)通信を行う移動無線通信ネットワークの基地局装置に係り、前記移動無線端末への下り方向の送信の中に存在する送信ギャップを識別し、識別された前記送信ギャップを所定のチャネルにマッピングして、前記送信ギャップと重なり合う前記所定のチャネルのサブフレームを包含する第１の中断期間を画定し、前記第１の中断期間を拡張する第２の中断期間であって、前記第１の中断期間と重なり合う少なくとも一つの別種のチャネルのサブフレームを包含する前記第２の中断期間を画定し、前記第２の中断期間を拡張する前記受信中断期間であって、前記第２の中断期間、及び、前記第２の中断期間の範囲に収まるサブフレームに付随する付随サブフレームを包含する受信中断期間を前記移動無線端末のために決定する決定手段と、前記移動無線端末に対して、ＨＳＤＰＡパケットの送信をスケジューリング設定する一方、決定された前記受信中断期間中は、前記移動無線端末への送信用のＨＳＤＰＡパケットをスケジューリングしないことを特徴としている。
【発明の効果】
【００２４】
この発明の構成によれば、ＨＳＤＰＡ対応で動作し、かつ、コンプレストモードで動作する際の移動無線端末におけるバッテリ資源の無駄をなくすことができると共に、基地局側のＨＳＤＰＡ無線通信資源の有効利用を図ることができる。
【発明を実施するための最良の形態】
【００２５】
３GPP（3rd Generation Partnership Project） リリース５ 仕様２５．２１４に準拠するWCDMA(Wideband Code Division Multiple Access)対応の移動無線端末は、コンプレストモードで通信中のときに、ＨＳ−ＳＣＣＨサブフレームの一部あるいは付随するＨＳ−ＰＤＳＣＨの一部が、不随する下り方向のDPCH(専用物理チャネル; Dedicated Physical Channel)に発生する送信ギャップと重なるならば、ＨＳ−ＳＣＣＨ(高速共有制御チャネル; High Speed Shared Control Channel)又はＨＳ−ＰＤＳＣＨ(高速物理下り共有チャネル; High Speed Physical Downlink Shared Channel)の下り送信を無視する構成になされる。
【００２６】
この点に関して、移動無線端末のコンプレストモード時に、無視されるサブフレームが受信された期間を少なくとも含む所定の期間(以下、受信中断期間(Reception Suspension Period(RSP))という)は、HSDPA(高速下りパケット接続; High Speed Downlink Packet Access)データの受信又は／及び復号化を中断できる、ということに、この出願に係る発明者は気が付いた。このようにすれば、例えば、コンプレストモード時の受信中断期間(RSP)におけるHSDPAパケットの受信や処理の中断は、移動無線端末のバッテリ資源の無駄な消耗を回避するのに、多いに役立つかも知れない。
【実施例１】
【００２７】
以下、図面を参照して、この発明の実施の形態について詳細に説明する。  図１は、ＨＳＤＰＡ通信の下で、移動無線端末(UE)１２、１４、１６、１８と基地局(Node B)１０との交信状態を示す模式図である。移動無線端末１２、１４、１６、１８は、それぞれ、符号分割多重、時分割多重、及びこれらを復号した復号多重のうちのいずれかの多重化方式に基づいて、基地局１０のＨＳＤＰＡチャネル資源を共有する。ここで、多重化の方法や組み合わせは、基地局１０のＨＳＤＰＡパケットスケジューラによって決定される。
【００２８】
この実施例においては、例えば、上記４つの移動無線端末１２、１４、１６、１８のうち、移動無線端末１８が、コンプレストモードで動作するようにスケジュール設定されたとする。上記したように、移動無線端末１８が、コンプレストモード時にある間は、送信ギャップが存在し、この送信ギャップの期間は、ＨＳＤＰＡパケットが、移動無線端末１８に送信されないし、受信されても、移動無線端末１８は、受信されたパケットを無視できる。
【００２９】
図２は、図１の基地局１０の構成を詳細に示すブロック図、具体的には、ＨＳＤＰＡ送信のスケジューリングを実行する基地局１０のＭＡＣ(媒体アクセス制御層)−ｈｓプロトコルレイヤの構成を示すブロック図である。
図２に示されるＨＳＤＰＡパケットスケジューラ２０とＡＭＣ(Adaptive Modulation and Coding)コントローラ２２の動作を除けば、基地局１０におけるＨＳＤＰＡパケットのスケジューリング及び送信処理の機構は、ＨＳＤＰＡ送信できる従来の基地局におけるものと概略同じである。ここで、ＨＳＤＰＡパケットスケジューラ２０は、送信時間と送信時間との間に、ＨＳＤＰＡに利用できる資源の使用を制御して、ＨＳＤＰＡ用に確保されるチャネル容量が最適化されるように、パケット送信スケジューリングを実行する。
【００３０】
この例では、ＨＳＤＰＡパケットスケジューラ２０は、また、コンプレストモード通信中の移動無線端末(この例では、移動無線端末１８)のための送信ギャップの適正な長さを演算により求め、演算結果に従って、設定／拡張された送信ギャップの期間は、該当する移動無線端末へのパケットの送信が中断されるように、ＨＳＤＰＡパケットをスケジュール設定する。
【００３１】
かくして、設定／拡張された送信ギャップの期間、ＨＳＤＰＡパケットスケジューラ２０は、他の移動無線端末(この例では、移動無線端末１２、１４、１６)に送信するためのＨＳＤＰＡパケットのスケジューリングを行うことができるので、ＨＳＤＰＡシステム全体のスループットの向上を図ることができる。
【００３２】
ＡＭＣコントローラ２２は、伝播環境の変動に応じて、変調方式やチャネル符号化(誤り訂正符号化)レートを適応的にかつ高速に変更制御する機能を備えていて、具体的には、移動無線端末から報告されるチャネル品質及びパケット確認の変動に従って、当該移動無線端末のためのチャネル符号化の変更、再送信バージョンの変更、チャネル変調方式の変更を含むパケット処理を実行する。このパケット処理では、ＡＭＣコントローラ２２は、所定の移動無線端末から、チャネル品質インジケータ(ＣＱＩ)、肯定応答／否定応答(ＡＣＫ／ＮＡＣＫ)等の情報を受け取ると、これらのデータに基づいて、送信済みのパケットの再送信あるいは新しいパケットの送信のためのパラメータを計算する。特段の移動無線端末１８に対しては、拡張された送信ギャップ情報が、ＨＳＤＰＡパケットスケジューラ２０からＨＳＤＰＡパケットスケジューラ２０に転送される。
【００３３】
この発明の実施例の構成では、ＨＳＤＰＡパケットスケジューラ２０は、計算により拡張された送信ギャップの期間中は、コンプレストモード時の移動無線端末１８に向けて、新しいパケットも再送信すべきパケットもスケジュール設定しない。それゆえ、この実施例の構成によれば、ＨＳＤＰＡパケットスケジューラ２０は、スケジュールを設定しないという上記処理によって空き領域となった無線資源を管轄セル内の別の移動無線端末１２、１４、１６へのＨＳＤＰＡパケット送信に利用することができる。
【００３４】
ＨＳＤＰＡパケットスケジューラ２０によってスケジュールされた各移動無線端末１２、１４、１６、１８向けのＨＳＤＰＡデータパケットは、それから、図２に示すように、変換処理ブロック２４によってさらなる処理が加えられる。この後、現行の３ＧＰＰ リリース５及びリリース６ ＨＳＤＰＡ要求仕様に準拠して、同図に示すように、多重化処理ブロック２６にて多重化処理がなされ、次に、物理チャネル処理２８にて物理チャネル処理が実行される。
【００３５】
図３は、この発明の一実施例に係る移動無線端末１２、１４、１６、１８におけるレイヤ１関連の構成を概略示すブロック図である。同図において、移動無線端末（代表として、移動無線端末１８）が、ＨＳＤＰＡデータを含む無線周波信号３０を受信すると、ＨＳＤＰＡ復調器４２は、デジタルベースバンド上で受信されたＨＳＤＰＡデータを復調する。同じく、ＨＳＤＰＡ復調器４２にて、デジタルベースバンド上で復調された制御チャネルデータは、ＨＳＤＰＡレイヤ１コントローラ４４に供給される。入力された制御チャネルデータに基づいて、ＨＳＤＰＡレイヤ１コントローラ４４は、ＨＳＤＰＡ制御復号器４６が、受信されたＨＳＤＰＡデータの復号処理を制御することを可能にする。ＨＳＤＰＡデータは、ＨＳＤＰＡデータ復号器４８に供給される。この発明の実施例についての以下の記述から明らかな通り、移動無線端末１８が、コンプレストモードで通信しているとき、ＨＳＤＰＡレイヤ１コントローラ４４は、次述する方法に従って、受信中断期間を計算する構成となっている。そして、ＨＳＤＰＡ復調段を含むいくつかのブロックでは、受信中断期間中は、省電力化のために、それらの動作が中断される構成となっている。
【００３６】
この実施例では、ＨＳＤＰＡレイヤ１コントローラ４４は、図４に示す動作手順１００に従って、ＨＳＤＰＡの下で、コンプレストモードで動作している（自身を搭載する）移動無線端末１８のために受信中断期間を決定する。動作手順１００は、同図に示すように、移動無線端末(UE)が、基地局(Node B)から、コンプレストモードに入るように指示を受けたとき、開示される。前提として、上記したように、コンプレストモード送信では、下り方向のＤＰＣＨ(専用物理チャネル; Dedicated Physical Channel)には、所定のデータフレームの中に、設定されたギャップ長を持つ送信ギャップが含まれている。動作手順１００が開始されると、移動無線端末は、まず、ステップＳ１０２において、基地局からのＤＰＣＨ送信の中から、送信ギャップを識別する。次に、ステップＳ１０４において、識別された送信ギャップをＣＰＩＣＨ(共通パイロットチャネル; Common Pilot Channel)にマッピングして、第１の期間を決定する。より詳しく言えば、第１の期間は、ＣＰＩＣＨ上のどのスロットが送信ギャップと重なっているかを確認することによって決定される。ここで、送信ギャップの開始点と重なるＣＰＩＣＨスロットの開始点から始まって、送信ギャップの終点と重なるＣＰＩＣＨスロットの終点で終わる期間を上記第１の期間と定義される。
【００３７】
次に、ステップＳ１０６に進み、第１の期間は、第１の期間よりも長い第２の期間へと発展させられる。すなわち、移動無線端末装置は、ステップＳ１０６において、第１の期間と重なり合う、下り方向の高速物理チャネルであるＨＳ−ＳＣＣＨ(高速共有制御チャネル; High Speed Shared Control Channel)のサブフレーム、及び／又は、ＨＳ−ＰＤＳＣＨ(高速物理下り共有チャネル; High Speed Physical Downlink Shared Channel)のサブフレームを包含する第２の期間を画定する。ここで、第１の期間の開始点と重なるＨＳ−ＳＣＣＨサブフレーム又はＨＳ−ＰＤＳＣＨサブフレームの開始点から始まって、第１の期間の終点と重なるＨＳ−ＳＣＣＨサブフレーム又はＨＳ−ＰＤＳＣＨサブフレームの終点で終わる期間を上記第２の期間と定義される。
【００３８】
最後に、ステップＳ１０８に進み、受信中断期間を決定する。一般には、受信中断期間は、送信ギャップの開始点、第１の期間の開始点、及び第２の期間の開始点又は第２の期間の範囲に収まるサブフレームに付随するサブフレームの開始点のうち、最も早い開始点から始まって、送信ギャップの終点、第１の期間の終点、及び第２の期間の終点のうち、最も遅い終点で終わると定義される。
【００３９】
図５を参照して、受信中断期間を算出する上記プロセスについて、さらに詳しく説明する。図５は、ＣＰＩＣＨ、ＨＳ−ＳＣＣＨ、ＤＰＣＨを用いて伝送される各種信号の相対的な転送タイミングを説明するための概念図である。図４で示した上述の方法１００に従って、ＤＰＣＨ２００上の送信ギャップ２０２が、ＣＰＩＣＨ２０６上にマッピングされる(ステップＳ１０４)。このマッピングによって、送信ギャップ２０２と重なるＣＰＩＣＨ上の２つのスロット２０８、２１０が決定される。
【００４０】
ここで、第１の期間２１２は、上記したように、送信ギャップ２０２の開始点と重なるＣＰＩＣＨスロット２１０の開始点から始まって、送信ギャップ２０２の終点と重なるＣＰＩＣＨスロット２０８の終点で終わる期間であると定義される。
【００４１】
次に、第１の期間２１２が、拡張２１４されて、第１の期間２１２と重なるＨＳ−ＳＣＣＨ２１６又はＨＳ−ＰＤＳＣＨのサブフレーム２１８を包み込む（第１の期間よりも長い）第２の期間２２０が画定される。
【００４２】
最後に、受信中断期間(RSP)２２２が決定される。一般には、受信中断期間２２２は、送信ギャップ２０２の開始点、第１の期間２１２の開始点、及び第２の期間２２０の開始点又は第２の期間２２０の範囲に収まるＨＳ−ＰＤＳＣＨのサブフレーム２１８に付随するＨＳ−ＳＣＣＨサブフレーム２２４（図５）の開始点のうち、最も早い開始点から始まって、送信ギャップ２０２の終点、第１の期間２１２の終点、及び第２の期間２２０の終点のうち、最も遅い終点で終わると定義される。かくして、ＨＳ−ＳＣＣＨサブフレーム２２４は、第１の期間２１２と重なり合わないけれども、ＨＳ−ＰＤＳＣＨサブフレーム２１８は、第１の期間２１２と重なり合うので、ＨＳ−ＳＣＣＨサブフレーム２２４は、受信中断期間２２２内にあると考えられる。
【００４３】
図６は、ＣＰＩＣＨ、ＨＳ−ＳＣＣＨ、ＤＰＣＨの各送信タイミング、送信ギャップ、第１に期間、第２の期間及び受信中断期間の関係を示す図である。次に、図６を参照して、受信中断期間が、移動無線端末（ユーザ端末）によって、どのように計算されるかについて説明する。なお、図６において、図５に示す構成各部と同一の各部については、同一の符号を付して、説明を省略又は簡略化する。
【００４４】
受信が中断されるとき、言い換えれば、受信中断期間の開示時点及びその持続期間は次のようにして決定される。
【００４５】
まず、送信ギャップ２０２の開始点と重なるのは、どのようなスロット番号を有するＣＰＩＣＨスロット２１０であるかについての決定がなされる。この決定は、式(１)を用いてなされる。
【００４６】
【数１】
2006060809.tif 000003
【００４７】
ここで、τDPCHは、上位レイヤによって与えられるオフセットからＤＰＣＨまでのチップ数であり、また、ＴＧＳＮDPCHは、送信ギャップ２０２の開始点から始まるＤＰＣＨスロット２１０のスロット番号である。
【００４８】
第１の期間２００の長さ及び送信ギャップ２０２の終点と重なるＣＰＩＣＨスロット２０８は、式(２)、(３)から求められる。
【００４９】
【数２】
2006060809.tif 000004
【００５０】
【数３】
2006060809.tif 000005
【００５１】
ここで、modは、モデューロ演算を意味し、また、図６に示すように、ＴＧＬCPICHは第１の期間２２０、ＴＧＬDPCHは送信ギャップ長２０２のことである、
【００５２】
次に、第１の期間２２０と重なるＨＳ−ＳＣＣＨサブフレーム、及び結果として、コンプレスト送信ギャップに基づく一つのモードが、次のように、特定される。
【００５３】
第２の期間の開始点を含むＨＳ−ＳＣＣＨサブフレーム２１８のサブフレーム番号ＴＧＳＦＮHS-SCCH(図６)が、式(４)、(５)から与えられる。
【００５４】
【数４】
2006060809.tif 000006
【００５５】
【数５】
2006060809.tif 000007
【００５６】
第２の期間の終点を含むＨＳ−ＳＣＣＨサブフレームのサブフレーム番号ＴＧＥＦＮHS-SCCH(図６)は、式(６)から導かれる。
【００５７】
【数６】
2006060809.tif 000008
【００５８】
第２の期間内に含まれる全てのＨＳ−ＳＣＣＨサブフレーム、すなわち、サブフレーム番号ＴＧＳＦＮHS-SCCHからサブフレーム番号ＴＧＥＦＮHS-SCCHまでの全てのＨＳ−ＳＣＣＨサブフレームが、受信中断期間の範囲に収まると考えられる。それゆえ、この実施例においては、受信中断期間は、サブフレーム番号ＴＧＳＦＮHS-SCCHのＨＳ−ＳＣＣＨサブフレームからサブフレーム番号ＴＧＥＦＮHS-SCCHのＨＳ−ＳＣＣＨサブフレームまでの間であると定義される。
【００５９】
上述の実施例では、移動無線端末がコンプレストモードに変化してから、基地局からの指示により、送信ギャップの識別を行うようにしたが、例えば、コンプレストモードに変化する前からでも、基地局から、その旨の指示を受けると、直ちに送信ギャップの識別を行っても良い。このことは、移動無線端末が、独自の判断で、特定された受信中断期間中、ＨＳ−ＳＣＣＨチャネル及びそれに付随するＨＳ−PＤＳＣＨを用いて伝送される信号の受信やパケット処理を中断すること許すことになり、この結果、不必要な電力の消耗を抑えることができるし、ひいては、バッテリ寿命の向上に寄与できることとなる。
【００６０】
この発明の別の実施例として、上位レイヤからの制御情報を考慮して、受信中断期間を拡張する場合について述べる。
移動無線端末が、3ＧＰＰ仕様ＴＳ ２５．２１４に準拠してＨＳＤＰＡを受けているとき、ＨＳＤＰＡをサポートする移動無線端末は、第[ｎ＋１]番目から第[ｎ＋(N_acknack_transmit−1)]番目までのＨＳ-ＤＳＣＨ(Downlink Shared Channel; トランスポートチャネル)サブフレームの中のトランスポートブロックをＨＳ-ＰＤＳＣＨから受信も復号化もしないよう指示を受けている。
ここで、N_acknack_transmitパラメータは、上位レイヤの信号方式によって与えられる。図７に示すように、追加のサブフレーム群を包含することで、受信中断期間を、さらに、拡張することができる。
【００６１】
図７は、ＣＰＩＣＨ、ＨＳ−ＳＣＣＨ、ＤＰＣＨの各送信タイミング、送信ギャップ、及び拡張された受信中断期間の関係を示す図である。図７には、上位のレイヤによって、受信しないように指示された、第[ｎ＋１]番目から第[ｎ＋(N_acknack_transmit−1)]番目までのＨＳ−ＳＣＣＨサブフレーム及びＨＳ-ＤＳＣＨサブフレームも示されている。
【００６２】
図７に示すように、受信中断期間(RSP)は、参照して述べたと同一の考え方で定義される。しかしながら、上記したように、ＨＳＤＰＡをサポートする移動無線端末が、第[ｎ＋１]番目のＨＳ-ＳＣＣＨサブフレーム(ｎ＋１)の中で、無視せよとの制御情報を検出したときは、当該移動無線端末は、第[ｎ＋１]番目の付随ＨＳ-ＤＳＣＨサブフレーム(ｎ＋１)の次の次に受信されるフレームからデータの受信や復号化を停止できる構成となっている。N_acknack_transmitを知っていると、ＨＳ-ＳＣＣＨの監視が再開されるべき次のＨＳ-ＤＳＣＨサブフレーム、すなわち、ＨＳ−ＳＣＣＨ(ｏ＋１)サブフレーム(図７中の符号２２４)を前もって計算できる。ＨＳ−ＳＣＣＨ(ｏ＋１)サブフレーム２２４にて、ＨＳ-ＳＣＣＨの監視が再開されるべきである。しかしながら、図７に示すように、ＨＳ−ＳＣＣＨ(ｏ＋１)サブフレーム２２４は、受信中断期間２２２中に受信されるなら、ＨＳＤＰＡをサポートする移動無線端末は、受信中断期間２２２を受信中断期間５０４まで拡張することができる。
【００６３】
拡張された受信中断期間５０４は、最初に無視されたＨＳ−ＳＣＣＨサブフレーム５００、すなわち、ＨＳ-ＳＣＣＨサブフレーム(ｎ＋１)から、拡張前の受信中断期間２２２の終点まで拡張できるように定義できる。これは、受信中断期間５０４前に受け取られたＨＳ-ＤＳＣＨサブフレーム(ｎ＋１)についてデータパケットの復号化処理を簡潔させることを除けば、すべてのＨＳＤＰＡ機能は、処理電力を節約できる。
【００６４】
以上、この発明の実施例を図面を参照して詳述してきたが、具体的な構成はこの実施例に限られるものではなく、この発明の要旨を逸脱しない範囲の設計の変更等があってもこの発明に含まれる。
【００６５】
たとえば、移動無線端末と通信中の基地局は、受信中断期間の間、当該移動無線端末への送信を一時的に中断することができる。この場合において、基地局は、移動無線端末で用いられていると同様の方法を用いて、受信中断期間を計算するようにしても良い。かくして、基地局は、移動無線端末によって受信されずに無視される結果となるデータパケットの無駄な転送を中断できる。この結果、送信電力や符号分配等のネットワーク資源は確保され、確保されたネットワーク資源を他の移動無線端末との交信に役立てることができる。
【図面の簡単な説明】
【００６６】
【図１】この発明の一実施例による、ＨＳＤＰＡ通信の下で、移動無線端末(UE)と基地局(Node B)との交信状態を示す模式図である。
【図２】図１の基地局の構成を詳細に示すブロック図、具体的には、ＨＳＤＰＡ送信のスケジューリングを実行する基地局のＭＡＣ(媒体アクセス制御層)−ｈｓプロトコルレイヤの構成を示すブロック図である。
【図３】この発明の一実施例に係る移動無線端末におけるレイヤ１関連の構成を概略示すブロック図である。
【図４】この発明の一実施例による受信中断期間を確定するための動作処理手順を示すフローチャート図である。
【図５】この発明の一実施例を説明するための図で、ＣＰＩＣＨ、ＨＳ−ＳＣＣＨ、ＤＰＣＨを用いて伝送される各種信号の相対的な転送タイミングを説明するための概念図である。
【図６】この発明の一実施例を説明するための図で、ＣＰＩＣＨ、ＨＳ−ＳＣＣＨ、ＤＰＣＨの各送信タイミング、送信ギャップ、第１に期間、第２の期間及び受信中断期間の関係を示す図である。
【図７】この発明の別の実施例を説明するための図で、ＣＰＩＣＨ、ＨＳ−ＳＣＣＨ、ＤＰＣＨの各送信タイミング、送信ギャップ、及び拡張された受信中断期間の関係を示す図である。
【符号の説明】
【００６７】
１０      基地局(Node B)
１２、１４、１６、１８      移動無線端末(UE)   ４４      ＨＳＤＰＡレイヤ１コントローラ  ２００      ＤＰＣＨ
２０２      送信ギャップ
２０６      ＣＰＩＣＨ  ２１２      第１の期間
２２０      第２の期間
２２２、５０４      受信中断期間(RSP)
【図１】
2006060809.tif 000009
【図２】
2006060809.tif 000010
【図３】
2006060809.tif 000011
【図４】
2006060809.tif 000012
【図５】
2006060809.tif 000013
【図６】
2006060809.tif 000014
【図７】
2006060809.tif 000015